(57)【要約】【課題】梱包高さを低く抑え得るだけでなくごみやほこりの常時侵入をなくすことができ、さらに商品が物流過程で受けた衝撃の程度を測ることもできるキャスタ付商品の包装、梱包に用いるパレット構造を提供する。【解決手段】画像形成装置１に衝撃が加わった際にのみキャスタ６と接触するパレット１０の上面材１１及び敷き紙１２に貫通孔２０が形成されるようにするため、上面材１１及び敷き紙１２に切り込み線２１を入れてある。運搬中に何らかの原因で画像形成装置１に衝撃が加わると、キャスタ６がパレット１０の上面に接触して押すことによりに切り込み線２１が切り離され、貫通孔２０が形成される。また通常時は貫通孔２０が明いていないので、ごみやほこり等が絶えず侵入することなく商品を梱包可能である。【選択図】　　　　図４
2004075154.tif 000002
【特許請求の範囲】
【請求項１】
搭載する製品のキャスタ対応位置に、上記製品に対して所定量の衝撃が加わった際に抜け落ちて孔を形成する部位を設けてなることを特徴とするキャスタ付製品用のパレット構造。
【請求項２】
上記孔を形成する部位を同心状に設けてなることを特徴とする請求項１のキャスタ付製品用のパレット構造。
【請求項３】
上記同心状の上記孔を形成する部位に孔径を示す表示を設けてなることを特徴とする請求項２のキャスタ付製品用のパレット構造。
【発明の詳細な説明】
【０００１】
【発明の属する技術分野】
本発明は、画像形成装置等のようなキャスタ付製品用のパレット構造に関する。
【０００２】
【従来の技術及び発明が解決しようとする課題】
複写機等の画像形成装置には底面に移動用のキャスタを備えるものがある。このような画像形成装置を運搬するために用いるパレット構造を図１に示す。図中１は画像形成装置で、給紙用のトレイ２を備える給紙部、作像部等を備える本体部３、読み取ろうとする原稿を給送するための原稿送り部４、操作用の操作パネル部５等からなり、本体部４の底面に複数個のキャスタ６を備えている。キャスタ６は本体部４の底面の四隅にそれぞれ設けてあるが、図では２個のキャスタ６のみ示す。また図中１０がパレットで、段ボール紙等を組み立てて形成してあり、上面材１１の上に敷き紙１２を設け、その上に発泡スチロール材等からなる緩衝材１３・・・を配置してある。緩衝材１３の配置位置は、その上に乗せる本体部３の底辺の略中央部に対応する位置としてある。さらに図中１５は下側を開口させた上蓋、１６は上蓋１５と原稿送り部４や操作パネル部５の間に挟む緩衝材である。
【０００３】
図２は、図１に示すパレット１０上に画像形成装置１を搭載し、上蓋１５を被せていない状態を示す。キャスタ６とパレット１０上の敷き紙１２表面との間には適宜寸法のクリアランスｃが緩衝材１３によって形成され、キャスタ６がパレット１０の上面から浮いた状態で上蓋１５を被せて梱包することになる。すなわち、本来的には梱包時の高さを低くするためキャスタ６がパレット１０上面に接触する状態で搭載することが望ましいが、そのような状態で梱包された商品に対して物流過程で受ける衝撃を測定するには計測装置が必要であり、簡易的な計測装置を用いたとしてもコストが発生するため、上述のようにキャスタ６を浮かせる構造が採用されているのである。
【０００４】
ところが、このような梱包形態では上述のクリアランスｃの分だけどうしても梱包高さが大きくなるので、これを低く抑えるために採用する手法として、図３に示すようにパレット１０の上面材１１及び敷き紙１２に貫通孔２０を設け、これにキャスタ６の下端側が入り込むようにしてパレット１０の上面との緩衝を避けているものがある。この構造では、図２の梱包形態に比べてクリアランスｃ’をかなり小さくできるが、貫通孔２０からごみやほこり等が絶えず侵入する状況になってしまうという問題が生じる。
【０００５】
本発明は、上記従来の問題点にかんがみてなしたもので、キャスタ付商品の包装あるいは梱包に用いるパレットにおいて、包装高さを低く抑え得るだけでなくごみやほこりの常時侵入をなくすことができ、さらに商品が物流過程で受けた衝撃の程度を測ることもできるパレット構造を提供することを目的とする。
【０００６】
【課題を解決するための手段】
本発明の請求項１に係るキャスタ付製品用のパレット構造は、上記目的を達成するために、搭載する製品のキャスタ対応位置に、上記製品に対して所定量の衝撃が加わった際に抜け落ちて孔を形成する部位を設けてなることを特徴とする。
【０００７】
同請求項２に係るものは、上記目的を達成するために、製品に加わる衝撃の大きさに応じてパレット上面に形成される孔の大きさが異なるようにするために、上記孔を形成する部位を同心状に設けてなることを特徴とする。
【０００８】
同請求項３に係るものは、上記目的を達成するために、製品に加わる衝撃の大きさに応じてパレット上面に形成される孔の大きさが異なる際に、その衝撃の大きさの目安がわかりやすいようにするため、上記同心状の上記孔を形成する部位に孔径を示す表示を設けてなることを特徴とする。
【０００９】
【発明の実施の形態】
以下本発明の実施の形態を図面を参照して説明する。なお以下では従来と共通する部分には共通する符号を付すにとどめ重複する説明は省略する。
図４は本発明に係るキャスタ付製品用のパレット構造の第１実施形態を示す斜視図（Ａ）と要部拡大斜視図（Ｂ）である。本実施形態のパレット構造は、図示のように基本的には梱包高さを低くした図３の構造と同様のものであるが、画像形成装置１に衝撃が加わった際にのみキャスタ６と接触するパレット１０の上面材１１及び敷き紙１２に貫通孔２０が形成されるようにするため、上面材１１及び敷き紙１２に切り込み線（ミシン目等でもよい）２１を入れてある。
【００１０】
そのため運搬中に何らかの原因で画像形成装置１に衝撃が加わると、キャスタ６がパレット１０の上面に接触して押すことによりに切り込み線２１が切り離され、貫通孔２０が形成される。また通常時は貫通孔２０が明いていないので、ごみやほこり等が絶えず侵入することなく商品を梱包可能である。なお図示の実施形態では切りこみ線２１を円形に入れてあるが、もちろん矩形等の他の形状でもよい。以下に説明する実施形態でもこの点同様である。
【００１１】
図５は本発明に係るキャスタ付製品用のパレット構造の第２実施形態を示す要部拡大斜視図である。本実施形態のパレット構造は、図示のように画像形成装置１に加わる衝撃の大きさに応じてパレット１０の上面に形成される貫通孔２０の大きさが異なるようにするため、切り込み線２１を複数同心円状に入れてある。すなわち、キャスタ６がパレット１０の上面に接触した際の衝撃の大きさに比例して貫通孔２０の大きさが変化するので、衝撃を測定する計測装置を用いることなく、商品への衝撃が加わった程度を予測できる。なお、図示の例では切りこみ線２１を同心円状に設けてあるが、各切り込み線の形状がそれぞれ異なっていてもよく、図示の例には限定されない。また数学的な意味での同心である必要はなく、１本の切りこみ線２１が形成する形状をその外側の切りこみ線２１が形成する形状が囲むものであればよく、本明細書でいう同心はこの広い意味で用いている。
【００１２】
図６は本発明に係るキャスタ付製品用のパレット構造の第３実施形態を示す要部拡大斜視図である。本実施形態のパレット構造は、図示のように画像形成装置１に加わる衝撃の大きさに応じてパレット１０に形成される貫通孔２０の大きさが異なる際に、その衝撃の大きさの目安が簡単にわかるように、数字等による表示２２を設けてある。たとえば表示２２は、貫通孔２０の大きさに応じて、落下高さ、発生加速度等を示す数字にすると、画像形成装置１への衝撃が加わった程度を具体的に把握できる。もちろん表示２２は絵柄等でもよい。
【００１３】
【発明の効果】
請求項１に係るキャスタ付製品用のパレット構造は、以上説明してきたように、製品に対して所定量の衝撃が加わった際に抜け落ちて孔を形成する部位を搭載する製品のキャスタ対応位置に設けてなるので、梱包高さを低く抑え得ることはもちろん、梱包高さを低く抑えるために貫通孔を予め設ける従来の構造に比べてごみやほこり等が絶えず侵入することなく商品を梱包が可能であるという効果がある。
【００１４】
請求項２に係るキャスタ付製品用のパレット構造は、以上説明してきたように、孔を形成する部位を同心状に設けてなるので、上記請求項１の構造と共通する効果に加え、衝撃を測定する計測装置を用いることなく、商品への衝撃が加わった程度が予測可能になるという効果がある。
【００１５】
請求項３に係るキャスタ付製品用のパレット構造は、以上説明してきたように、同心状の孔を形成する部位に孔径を示す表示を設けてなるので、上記請求項２の構造と共通する効果に加え、商品への衝撃が加わった程度を具体的に把握可能になるという効果がある。
【図面の簡単な説明】
【図１】従来のキャスタ付製品用のパレット構造を示す分解斜視図である。
【図２】図１の例で製品を搭載した後の形態を示す斜視図である。
【図３】他の従来のキャスタ付製品用のパレット構造を示す斜視図である。
【図４】本発明に係るキャスタ付製品用のパレット構造の第１実施形態を示す斜視図（Ａ）と要部拡大斜視図（Ｂ）である。
【図５】本発明に係るキャスタ付製品用のパレット構造の第２実施形態を示す要部拡大斜視図である。
【図６】本発明に係るキャスタ付製品用のパレット構造の第３実施形態を示す要部拡大斜視図である。
【符号の説明】
１　画像形成装置
２　給紙用のトレイ
３　本体部
４　原稿送り部
５　操作パネル部
６　キャスタ
１０　パレット
１１　上面材
１２　敷き紙
１３　緩衝材
１５　上蓋
１６　緩衝材
２０　貫通孔
２１　切り込み線
２２　数字等による表示
ｃ、ｃ’　クリアランス
【図１】
2004075154.tif 000003
【図２】
2004075154.tif 000004
【図３】
2004075154.tif 000005
【図４】
2004075154.tif 000006
【図５】
2004075154.tif 000007
【図６】
2004075154.tif 000008